(57)【特許請求の範囲】
【請求項１】
マルチキャリア逆方向リンク送信のためのキャリアマネジメントの方法であって、
複数のキャリア上で逆方向リンク信号を送信することと、前記逆方向リンク信号は、前記複数のキャリアの各々でペイロードデータおよびオーバーヘッドデータを備える、
前記複数のキャリア上の全送信電力が最大送信電力リミットにある、またはそれに近いと決定することと、
前記複数のキャリア上の前記全送信電力が前記最大送信電力リミットにある、またはそれに近い場合、前記複数のキャリアのすべてのキャリア上での前記オーバーヘッドデータの送信を維持しながら、前記複数のキャリアのうちの第１のキャリア上に前記ペイロードデータのすべてを集めることと、
を備える、方法。
【請求項２】
前記集めることは、前記複数のキャリアのうちの第２のキャリアの送信電力に基づいて、前記キャリアの前記最大送信電力リミットを動的に調整することをさらに備える、請求項１に記載の方法。
【請求項３】
前記動的に調整することは、前記第１のキャリアと前記第２のキャリアとの間の送信電力の不均衡に従って最大送信電力をマップするルックアップテーブルを利用することをさらに備える、請求項２に記載の方法。
【請求項４】
前記ペイロードデータのすべてを集めるために選択される前記キャリア毎の前記最大送信電力リミットを特徴付けることをさらに備える、請求項２に記載の方法。
【請求項５】
前記特徴付けることは、帯域クラス、周波数サブバンド、またはそれらの組み合わせに基づいて前記キャリア毎の前記最大送信電力リミットを決定することをさらに備える、請求項４に記載の方法。
【請求項６】
前記集めることは、前記複数のキャリアの中で、他のキャリアよりも高い特徴付けられた最大送信電力リミットを有するキャリアに前記ペイロードデータを集めることを偏らせることをさらに備える、請求項４に記載の方法。
【請求項７】
前記特徴付けることは、前記複数のキャリアの中で、放射要件を満たしながら前記ペイロードデータを搬送するためのキャリア毎の前記最大送信電力リミットを、前記オーバーヘッドデータのみを搬送するための他のキャリアの送信電力と比較することをさらに備える、請求項４に記載の方法。
【請求項８】
前記集めることは、前記第１のキャリアの送信電力と前記第２のキャリアの送信電力との間の不均衡に基づいて、前記キャリアの最大送信電力リミットを調整することをさらに備える、請求項２に記載の方法。
【請求項９】
前記調整することは、温度変化のための前記調整された最大送信電力リミットを補償することをさらに備える、請求項８に記載の方法。
【請求項１０】
ワイヤレス通信ネットワークにおけるマルチキャリア逆方向リンク送信のために構成された装置であって、
複数のキャリア上で逆方向リンク信号を送信するための手段と、前記逆方向リンク信号は、前記複数のキャリアの各々でペイロードデータおよびオーバーヘッドデータを備える、
前記複数のキャリア上の前記全送信電力が前記最大送信電力リミットにある、またはそれに近い場合、前記複数のキャリアのすべてのキャリア上での前記オーバーヘッドデータの送信を維持しながら、前記複数のキャリアのうちの第１のキャリア上に前記ペイロードデータのすべてを集めるための手段と、
を備える、装置。
【請求項１１】
前記集めるための手段は、前記複数のキャリアのうちの第２のキャリアの送信電力に基づいて、前記キャリアの前記最大送信電力リミットを動的に調整するための手段をさらに備える、請求項１０に記載の装置。
【請求項１２】
前記動的に調整するための手段は、前記第１のキャリアと前記第２のキャリアとの間の送信電力の不均衡に従って最大送信電力をマップするルックアップテーブルを利用するための手段をさらに備える、請求項１１に記載の装置。
【請求項１３】
前記ペイロードデータのすべてを集めるために選択される前記キャリア毎の前記最大送信電力リミットを特徴付けるための手段をさらに備える、請求項１１に記載の装置。
【請求項１４】
前記集めるための手段は、前記第１のキャリアの送信電力と前記第２のキャリアの送信電力との間の不均衡に基づいて、前記キャリアの最大送信電力リミットを調整するための手段をさらに備える、請求項１１に記載の装置。
【請求項１５】
マルチキャリアリンク送信を管理するために、アクセス端末に、請求項１乃至９のいずれか１項に記載の方法を実行させるためのコードを備える、コンピュータプログラム。
【発明の詳細な説明】
【関連出願の相互参照および優先権主張】
【０００１】
[0001]  本願は、２０１２年１０月１１日に出願された米国特許仮出願番号第６１/７１２,７７５号の優先権および利益を主張し、その内容全体が、全ての適用可能な目的のために、および以下に十分に記載されているかのように、参照によって、ここに組み込まれる。
【技術分野】
【０００２】
[0002]  以下に説明される技術は、一般的には、ワイヤレス通信に関し、より具体的には、マルチキャリアワイヤレス通信における改善された最大電力のための装置および方法に関する。
【背景技術】
【０００３】
[0003]  ワイヤレス通信システムは、音声、映像、パケットデータ、メッセージング、ブロードキャスト、等のような様々なタイプの通信コンテンツを提供するために広く展開されている。これらのシステムは、ワイヤレス通信を容易にするように適応された様々なタイプのアクセス端末によってアクセスされ得、ここで、複数のアクセス端末は、利用可能なシステムリソース（例えば、時間、周波数、および電力）を共有する。そのようなワイヤレス通信システムの例は、符号分割多元接続（ＣＤＭＡ）システム（例えば、ＣＤＭＡ２０００）、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]  Ｅｎｈａｎｃｅｄ Ｖｏｉｃｅ−Ｄａｔａ Ｏｐｔｉｍｉｚｅｄ（ＥＶ−ＤＯ）Ｒｅｖ．Ａは、高データレートをサポートすることができるＣＤＭＡ２０００規格の発展型であり、ワイヤレスキャリアの音声サービスと共に展開されている。ＥＶ−ＤＯ Ｒｅｖ．Ｂは、Ｒｅｖ．Ａ仕様書のマルチキャリアの発展型であり、ＥＶ−ＤＯ Ｒｅｖ．Ａの性能を維持する。ＥＶ−ＤＯ Ｒｅｖ．Ｂは、１キャリア当たりのより高いレートおよびマルチキャリアを１つに束ねること（bundling）によるより高いレートを提供する。典型的な展開は、例えば、１４．７Ｍｂｉｔ／ｓのピークレート（peak rate）に対して２または３つのキャリアを含み得る。ＥＶ−ＤＯ Ｒｅｖ．Ｂは、チャネル中に統計的多重化（statistical multiplexing）を使用することで待ち時間を減少させ、連続通話時間（talk-time）および待機時間（standby time）を増加させ、ハイブリッド周波数再利用(hybrid frequency re-use)を使用することにより提供され得るレートを向上させるセル信号のエッジにおいて隣接セクタから特にユーザへの干渉を減少させた。
【０００５】
[0005]  ＥＶ−ＤＯ Ｒｅｖ．Ｂにおける従来のマルチキャリア逆方向リンク（ＲＬ）送信では、波形は、一般的には、アクセス端末における単一の電力増幅器を通して駆動される（driven）。この構成に関する問題は、特に、両方のキャリアが等しい送信電力で構成された場合、相当量の帯域外干渉（out-of-band interference）をもたらす相互変調歪み（intermodulation distortion）に悩まされ得ることである。すなわち、デュアルキャリア上の等しい送信電力により、帯域外放射（out-of-band emission）は最も高くなる。この帯域外干渉は、順方向リンク上の受信機をディセンス（desense）し得ることに加えて、ある特定のスペクトルマスク、すなわち、他の帯域で許可された干渉量に対する規定に違反し得る。
【発明の概要】
【０００６】
[0006]  以下は、そのような態様の基本的な理解を提供するために、本開示の１つ以上の態様の簡略化された概要を提示する。この概要は、本開示の企図される全ての特徴の広範な概観ではなく、本開示の全ての態様のキーまたは重要なエレメントを特定するようにも、本開示の任意または全ての態様の範囲を叙述するようにも意図されない。その唯一の目的は、後に提示されるより詳細な説明への前置きとして、簡略化された形式で本開示の１つ以上の態様のいくつかの概念を提示することである。
【０００７】
[0007]  本開示の態様は、マルチキャリア逆方向リンク送信における最大送信電力を改善することを対象にしている。一態様において、マルチキャリア逆方向リンク送信ためのキャリアマネジメントの方法が開示される。方法は、複数のキャリア上で逆方向リンク信号を送信することを含み、逆方向リンク信号はペイロードデータおよびオーバーヘッドデータを含む。方法は、複数のキャリアのすべてのキャリア上でのオーバーヘッドデータの送信を維持しながら、複数のキャリアのうちの第１のキャリア上にペイロードデータのすべてを集める（funnel）。
【０００８】
[0008]  本開示の別の態様は、ワイヤレス通信ネットワークにおけるマルチキャリア逆方向リンク送信のために構成された装置を提供する。装置は、複数のキャリア上で逆方向リンク信号を送信するための手段と、ここで、逆方向リンク信号は、ペイロードデータおよびオーバーヘッドデータを含む、複数のキャリアのすべてのキャリア上でのオーバーヘッドデータの送信を維持しながら、複数のキャリアのうちの第１のキャリア上にペイロードデータのすべてを集めるための手段と、を含む。
【０００９】
[0009]  本開示の別の態様は、マルチキャリアリンク送信を管理するためのアクセス端末に、複数のキャリア上で逆方向リンク信号を送信させ、ここで、逆方向リンク信号は、ペイロードデータおよびオーバーヘッドデータを含む、複数のキャリアのすべてのキャリア上でのオーバーヘッドデータの送信を維持しながら、複数のキャリアのうちの第１のキャリア上にペイロードデータのすべてを集めさせるためのコードを含むコンピュータ可読記憶媒体を含む、コンピュータプログラム製品を提供する。
【００１０】
[0010]  本開示の別の態様は、ワイヤレス通信ネットワークにおけるマルチキャリア逆方向リンク送信のために構成された装置を提供する。装置は、少なくとも１つのプロセッサと、少なくとも１つのプロセッサに結合された通信インターフェースと、少なくとも１つのプロセッサに結合されたメモリと、を含む。少なくとも１つプロセッサは、複数のキャリア上で逆方向リンク信号を送信し、ここで、逆方向リンク信号は、ペイロードデータおよびオーバーヘッドデータを含む、複数のキャリアのすべてのキャリア上でのオーバーヘッドデータの送信を維持しながら、複数のキャリアのうちの第１のキャリア上にペイロードデータのすべてを集めるように構成される。
【００１１】
[0011]  本発明の他の態様、特徴、および実施形態は、添付図面とともに、本発明の具体的な、例示的な実施形態の以下の説明を検討すれば、当業者には明らかになるであろう。本発明の特徴は、以下である特定の実施形態および図面に関連して説明され得るが、本発明の全ての実施形態は、本明細書で説明される有益な特徴の１つ以上を含むことができる。言い換えれば、１つ以上の実施形態は、ある特定の有益な特徴を有するように説明され得、そのような特徴の１つ以上はまた、本明細書で説明される発明の様々な実施形態に従って使用され得る。同様に、例示的な実施形態は、デバイス、システムまたは方法の実施形態として以下で説明され得るが、そのような例示的な実施形態は、様々なデバイス、システム、および方法で実現され得ると理解されるべきである。
【図面の簡単な説明】
【００１２】
【図１】[0012]  図１は、本開示の１つ以上の態様がアプリケーションを見つけ得るネットワーク環境の例を示すブロック図である。
【図２】[0013]  図２は、いくつかの実施形態に従ってアクセス端末によって実現され得るプロトコルスタックアーキテクチャの例を示すブロック図である。
【図３】[0014]  図３は、いくつかの実施形態に従ってマルチキャリア動作のために構成されたアクセス端末のためのハードウェア実現の例を示す概念図である。
【図４】[0015]  図４は、いくつかの実施形態に従ってマルチキャリア逆方向リンク（ＲＬ）送信可能なアクセス端末を示す図である。
【図５】[0016]  図５は、いくつかの実施形態に従ってマルチキャリアワイヤレス通信ネットワークにおけるＲＬ送信の改善された最大電力のためのキャリアマネジメントのアルゴリズムを示すフローチャートである。
【図６】[0017]  図６は、いくつかの実施形態に従ってキャリアの不均衡（imbalance）の関数としてマルチキャリアＲＬ送信の最大送信電力リミット（maximum transmit power limit）を示す図である。
【発明の詳細な説明】
【００１３】
[0018]添付図面に関連して以下に述べられる詳細な説明は、様々な構成の説明として意図されたものであり、本明細書で説明される概念が実施され得る唯一の構成を表すように意図したものではない。詳細な説明は、様々な概念の完全な理解を提供する目的で、具体的な詳細を含む。しかしながら、これらの概念がこれらの具体的な詳細なしに実施され得ることが当業者には明らかになるであろう。いくつかの例では、そのような概念を曖昧にすることを避けるために、周知の構造およびコンポーネントがブロック図の形式で示される。
【００１４】
[0019]  本開示全体を通して提示される様々な概念は、幅広く様々な電気通信システム、ネットワークアーキテクチャ、および通信規格にわたって実現され得る。議論のある特定の態様は、ＣＤＭＡおよび第３世代パートナーシッププロジェクト２（３ＧＰＰ２）ＣＤＭＡ２０００（Ｃ２Ｋ）プロトコルおよびシステムについて以下に説明され、関連用語が以下の記載の大部分で見つけられ得る。しかしながら、本開示の１つ以上の態様が、ユニバーサルモバイルテレコミュニケーションシステム（ＵＭＴＳ）のような、１つ以上の他のワイヤレス通信プロトコルおよびシステムで用いられ得る、およびそれらに含まれ得ることを、当業者は理解するであろう。
【００１５】
[0020]  図１は、本開示の１つ以上の態様がアプリケーションを見つけ得るＣ２Ｋネットワーク環境の例を示すブロック図である。ワイヤレス通信システム１００は、一般に、（例えば、モバイル交換局／ビジタロケーションレジスタ（ＭＳＣ／ＶＬＲ）を介して）公衆交換電話網（ＰＳＴＮ）への、および／または（例えば、パケットデータ交換ノード（ＰＤＳＮ）を介して）ＩＰネットワークへのアクセスを提供するコアネットワーク１０８、１つ以上の基地局コントローラ（ＢＳＣ）１０６、１つ以上のアクセス端末１０４、および１つ以上の基地局１０２を含む。
【００１６】
[0021]  基地局１０２は、基地局アンテナ介してアクセス端末１０４と無線で通信することができる。基地局１０２は、それぞれ、無線通信システム１００への（１つ以上のアクセス端末の）ワイヤレス接続性を容易にするように適応される装置として一般的に実現され得る。基地局１０２はまた、当業者によって、アクセスポイント、基地トランシーバ局（ＢＴＳ）、無線基地局、無線トランシーバ、トランシーバ機能、ベーシックサービスセット（ＢＳＳ）、拡張サービスセット（ＥＳＳ）、ノードＢ、フェムトセル、ピコセル、および／または何らかの他の適切な用語でも呼ばれ得る。
【００１７】
[0022]  基地局１０２は、１つ以上のキャリアを介して基地局コントローラ１０６の制御下でアクセス端末１０４と通信するように構成される。基地局１０２の各々は、それぞれの地理的エリアのための通信カバレッジを提供することができる。この各基地局１０２のためのカバレッジエリア１１０は、例えば、セル１１０−ａ、セル１１０−ｂ、またはセル１１０−ｃとして識別される。基地局１０２のためのカバレッジエリア１１０は、（図示されていないが、カバレッジエリアの一部のみを構成する）セクタに分けられ得る。セクタに分けられたカバレッジエリア１１０において、カバレッジエリア１１０内の複数のセクタは、セルの一部またはセクタで１つ以上のアクセス端末１０４との通信を担う各アンテナを有するアンテナのグループによって形成されることができる。
【００１８】
[0023]  １つ以上のアクセス端末１０４は、カバレッジエリア１１０の全体にわたって散在し得、それぞれの基地局１０２に関連付けられた１つ以上のセクタとワイヤレスで通信し得る。アクセス端末１０４（ＡＴ）は、一般に、ワイヤレス信号を通じて１つ以上の他のデバイスと通信する１つ以上のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の適切な用語でも呼ばれ得る。
【００１９】
[0024]  アクセス端末１０４は、モバイル端末および／または少なくとも実質上の固定端末を含み得る。アクセス端末１０４の例は、モバイルフォン、ポケットベル、ワイヤレスモデム、パーソナルデジタルアシスタント、パーソナルインフォメーションマネジャ（ＰＩＭ）、パーソナルメディアプレイヤ、パームトップコンピュータ、ラップトップコンピュータ、タブレットコンピュータ、テレビ、電化製品、電子ブックリーダ、デジタルビデオレコーダ（ＤＶＲ）、マシンツ同士の（Ｍ２Ｍ）デバイス、および／または、少なくとも部分的に、ワイヤレスまたはセルラネットワークを通じて通信する他の通信／コンピューティングデバイスを含む。
【００２０】
[0025]  アクセス端末１０４は、ワイヤレス通信システム１００（例えば、基地局１０２、基地局コントローラ１０６）の１つ以上のネットワークノードとアクセス端末１０４との間でデータを通信するためのプロトコルスタックアーキテクチャを用いるように適応され得る。プロトコルスタックは、一般に、レイヤがそれらの数字表示（numeric designation）順に表されている通信プロトコルのためのレイヤードアーキテクチャ（layered architecture）の概念モデルを含み、ここで、転送されたデータは、それらの表示順に、各レイヤによって実質的に処理される。図により、「スタック（stack）」は、基地において最も低い数字表示を有するレイヤによって、典型的に垂直に示される。図２は、アクセス端末１０４によって実現され得るプロトコルスタックアーキテクチャの例を示すブロック図である。図１および図２を参照すると、アクセス端末１０４のためのプロトコルスタックアーキテクチャが、一般に３つのレイヤ、レイヤ１（Ｌ１）、レイヤ２（Ｌ２）、およびレイヤ３（Ｌ３）を含むことが示されている。
【００２１】
[0026]  レイヤ１ ２０２は、最下位のレイヤであり、様々な物理レイヤ信号処理機能を実現する。レイヤ１ ２０２は、本明細書において物理レイヤ２０２とも呼ばれる。この物理レイヤ２０２は、エアインターフェースを介してアクセス端末１０４と基地局１０２との間の無線信号の送信および受信を提供する。
【００２２】
[0027]  レイヤ２（または「Ｌ２レイヤ」）２０４と呼ばれるデータリンクレイヤは、物理レイヤ２０２の上に位置し、レイヤ３によって生成されたシグナリングメッセージの配信を担う。Ｌ２レイヤ２０４は、物理レイヤ２０２によって提供されたサービスを使用する。Ｌ２レイヤ２０４は、媒体アクセス制御（ＭＡＣ）サブレイヤ２０６、およびリンクアクセス制御（ＬＡＣ）サブレイヤ２０８の２つのサブレイヤを含み得る。
【００２３】
[0028]  ＭＡＣサブレイヤ２０６は、Ｌ２レイヤ２０４の下位サブレイヤである。ＭＡＣサブレイヤ２０６は、媒体アクセスプロトコルを実現し、物理レイヤ２０２によって提供されたサービスを使用して上位レイヤのプロトコルデータユニットまたはペイロードのトランスポートを担う。ＭＡＣサブレイヤ２０６は、上位レイヤから共有エアインターフェースへのデータのアクセスを管理し得る。
【００２４】
[0029]  ＬＡＣサブレイヤ２０８は、Ｌ２レイヤ２０４の上位サブレイヤである。ＬＡＣサブレイヤ２０８は、レイヤ３において生成されたシグナリングメッセージの配信および正確なトランスポートを提供するデータリンクプロトコルを実現する。ＬＡＣサブレイヤ２０８は、下位レイヤ（例えば、レイヤ１およびＭＡＣサブレイヤ）によって提供されたサービスを使用する。
【００２５】
[0030]  上位レイヤまたはＬ３レイヤとも呼ばれ得るレイヤ３ ２１０は、基地局１０２とアクセス端末１０４との間の通信プロトコルのタイミングおよびセマンティクス（semantics）に従ってシグナリングメッセージを生じさせる、および終了させる。Ｌ３レイヤ２１０は、Ｌ２レイヤ２０４によって提供されたサービスを使用する。（データと音声の両方の）情報メッセージはまた、Ｌ３レイヤ２１０に通してパスされる。
【００２６】
[0031]  アクセス端末１０４が通信システム１００内で動作する場合、アクセス端末１０４は、アイドル状態およびシステムアクセス状態を含む、任意の様々な動作状態で動作し得る。システムアクセス状態では、アクセス端末１０４は、１つ以上の基地局（例えば、図１の基地局１０２）とデータ（例えば、音声またはデータ呼またはセッション）をアクティブに交換し得る。アイドル状態では、アクセス端末１０４は、シグナリングデータを搬送するためのブロードキャスト制御チャネル（Ｆ−ＢＣＣＨ）および共通制御チャネル（Ｆ−ＣＣＣＨ）、ページングメッセージのようなオーバーヘッドデータおよびシステムを搬送するためのページングチャネル（Ｆ−ＰＣＨ）、および／または次のスロットにおいてＦ−ＣＣＣＨまたはＦ−ＰＣＨを受信するか否かをアクセス端末１０４に知らせるための高速ページングチャネル（Ｆ−ＱＰＣＨ）、のうちの１つ以上を含むがそれらに限定されない制御チャネルをモニタし得る。（本明細書では簡略のためにＰＣＨと呼ばれる）Ｆ−ＰＣＨ上で搬送されるページングメッセージは、アクセス端末１０４に受信音声またはデータ呼の発生についてアラートするメッセージと、システム情報およびアクセス端末１０４に関する他の情報を搬送する制御／オーバーヘッドメッセージを含み得る。
【００２７】
[0032]  図３は、ＥＶ−ＤＯ Ｒｅｖ．Ｂネットワークにおけるマルチキャリア動作のために構成され得るアクセス端末（ＡＴ）３００のハードウェア実現の例を示す概念図である。例えば、アクセス端末３００は、アクセス端末１０４として使用され得る。様々な開示の態様に従って、エレメント、またはエレメントの任意の一部、またはエレメントの任意の組み合わせは、１つ以上のプロセッサ３０４を含む処理システム３１４で実現され得る。プロセッサ３０４の例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および本開示全体を通して説明される様々な機能を実行するように構成された他の適切なハードウェアを含む。
【００２８】
[0033]  この例では、処理システム３１４は、概してバス３０２によって表されるバスアーキテクチャで実現され得る。バス３０２は、処理システム３１４の特定アプリケーションと全体的な設計制約に依存して任意の数の相互接続バスおよびブリッジを含み得る。バス３０２は、（概してプロセッサ３０４によって表される）１つ以上のプロセッサ、メモリ３０５、および（概してコンピュータ可読媒体３０６によって表される）コンピュータ可読媒体を含む様々な回路を共にリンクさせる。バス３０２はまた、タイミングソース、周辺機器、電圧レギュレータ、および電力管理回路のような様々な他の回路をリンクさせ得るが、これらは、当該技術分野において周知であるため、これ以上は説明されない。バスインターフェース３０８は、バス３０２とトランシーバ３１０との間のインターフェースを提供する。トランシーバ３１０（例えば、通信インターフェース）は、送信媒体を通して他の様々な装置と通信するための手段を提供する。装置の性質に依存して、ユーザインターフェース３１２（例えば、キーパッド、ディスプレイ、スピーカ、マイクロフォン、ジョイスティック）もまた提供され得る。
【００２９】
[0034]  プロセッサ３０４は、バス３０２の管理、およびコンピュータ可読媒体３０６に記憶されたソフトウェア３０７の実行を含む汎用処理を担う。プロセッサ３０４によって実行されると、ソフトウェアは、処理システム３１４に、任意の特定の装置に関して後に説明される様々な機能を実行させる。例えば、処理システムは、以下でさらに詳細に説明されるマルチキャリア逆方向リンク（ＲＬ）送信のための改良された最大送信電力アルゴリズムを実行するために利用され得る。コンピュータ可読媒体３０６はまた、ソフトウェアを実行するとき、プロセッサ３０４によって操作されるデータを記憶するために使用され得る。例えば、コンピュータ可読媒体３０６は、以下でさらに詳細に説明されるマルチキャリアＲＬ送信のための改良された最大電力アルゴリズムを記憶するために使用され得る。
【００３０】
[0035]  処理システムにおける１つ以上のプロセッサ３０４は、ソフトウェアを実行し得る。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。ソフトウェアは、コンピュータ可読媒体３０６に存在し得る。コンピュータ可読媒体３０６は、非一時的なコンピュータ可読媒体であり得る。非一時的なコンピュータ可読媒体は、例として、磁気記憶デバイス（例えば、ハードディスク、フロッピー（登録商標）ディスク、磁気ストリップ）、光学ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および任意の他の適切な媒体を含む。
【００３１】
[0036]  コンピュータ可読媒体３０６は、処理システム３１４の内部、処理システム３１４の外部に存在し、または、処理システム３１４を含む複数のエンティティにわたって分散され得る。コンピュータ可読媒体３０６は、コンピュータプログラム製品において具体化され得る。例として、コンピュータプログラム製品は、パッケージング材料内のコンピュータ可読媒体を含み得る。当業者は、システム全体に課された特定のアプリケーションおよび全体的な設計制約に依存して、本開示全体を通して提示される説明された機能をどのように最良に実現するかを認識するだろう。
【００３２】
[0037]  アクセス端末３００は、ＥＶ−ＤＯ Ｒｅｖ．ＢネットワークにおけるマルチキャリアＲＬ送信をサポートするように構成され得る。しかしながら、本開示はＥＶ−ＤＯ Ｒｅｖ．Ｂに限定されない。他の態様では、アクセス端末３００は、任意の適切なアクセスネットワークをサポートするように構成され得る。そのようなマルチキャリアの実現において、最大送信電力リミットがＲＬ送信に対して設定され得る。
【００３３】
[0038]  従来の技術では、このリミットは、典型的に帯域外干渉に関して最悪のシナリオが存在するという仮定に基づくものであり、すなわち、全アクティブキャリアにわたって等しい電力割り当て（an equal power allocation）が存在する。最大送信電力リミットに近い状態では（すなわち、電力増幅器の「ヘッドルームリミット（headroom limited）」状態では）、アクセス端末は、すべてのＲＬデータがシングルキャリアによって送信されるシングルキャリア動作モードに切り替え得る。
【００３４】
[0039]  マルチキャリアモードで動作するように構成された従来のアクセス端末では、最大送信電力リミットは、等しい電力が各キャリアに割り当てられる最悪のシナリオに基づいているため、一般的に、シングルキャリアモードのそれと比べてはるかに低い値に設定され、例えば、時に１３ｄＢｍと低い。従って、最悪の場合の等しい電力の仮定の下で測定される最大電力リミットは、過度に保守的（overly conservative）であり得、逆方向リンク上のスループットの低下、および順方向リンク上のマルチキャリアカバレッジの低下をもたらす。
【００３５】
[0040]  本開示の態様に従って、性能向上は、複数のキャリアの中のすべてのキャリア上でオーバーヘッドデータ（例えば、シグナリングデータ）を維持しながら、１つのキャリア上でマルチキャリアＲＬ送信のすべてのペイロードデータを送信することにより達成され得る。以後、このキャリア中のオーバーヘッドデータおよびペイロードデータの割り当ては、本開示全体を通して「集めること（funneling）」、「集める（funnel）」、または同様の用語で呼ばれる。本開示の態様に従って、最大送信電力リミットは、このヘッドルームリミットレジーム（regime）において誘発された（induced）送信電力不均衡に基づいて最適化され得、ここで、不均衡は、例えば、典型的に１０から２０ｄＢまで変動し得る。本開示のいくつかの態様では、集めることからの不均衡を活用するアルゴリズムが提供される。
【００３６】
[0041]  図４は、本開示の態様に従って、ＥＶ−ＤＯ Ｒｅｖ．ＢネットワークにおけるＲＬ送信のためのマルチプルキャリア、例えば、デュアルキャリア４０２および４０４、を利用するように構成されたアクセス端末（ＡＴ）３００を示す概略図である。（ａ）の場合では、ＡＴ３００の全送信電力が閾値（例えば、最大電力増幅器の送信電力（maximum power amplifier transmit power））より少ない場合、ＡＴ３００は、ＲＬデータを基地局４０６（例えば、基地局１０２）に送信するためにキャリア４０２および４０４の両方を使用し得る。ＲＬデータは、キャリア４０２および４０４の両方におけるペイロードデータおよびオーバーヘッドデータ（非ペイロードデータ）の両方を含み得る。この場合では、キャリア４０２および４０４の両方において実質的に同じ電力で送信することを含むがそれに限定されない、例えば、受信電力制御コマンドに従って、任意の適切な送信電力を利用し得る。
【００３７】
[0042]  （ｂ）の場合では、ＡＴ３００の全送信電力が閾値（例えば、ヘッドルームリミット）に近い、またはそれにある場合、ＡＴ３００は、ＡＴ３００が（例えば、約９０％から９９％までの）ほとんどの電力をキャリアの１つに割り当てる、集める動作（funneling operation）を利用し得る。しかしながら、本開示の一態様において、他のキャリアは、非常に少ない電力（例えば、１０％あるいはそれ以下）が割り当てられ、例えば、オーバーヘッドデータ（例えば、非ペイロードデータ）を搬送するためだけに利用され得る。この集める動作中、（ｂ）の場合では、すべてのペイロードデータはキャリア４０２のみで送信され得るが、オーバーヘッドデータまたは非ペイロードデータはキャリア４０２およびキャリア４０４の両方で送信され得る。図４は２つのキャリア（４０２および４０４）のみを示しているにすぎないが、他の態様は３つ以上のキャリアを利用し得る。ＲＬ送信のために３つ以上のキャリアを使用する例では、オーバーヘッドデータはすべてのキャリアで送信され得るが、ペイロードデータは１つのキャリアのみで送信される。
【００３８】
[0043]  一態様において、１つのキャリア（例えば、キャリア４０４）のキャリア電力が他のキャリア（例えば、キャリア４０２）のそれよりも実質的に小さい場合、２つのキャリアの積（product）に対応し得る帯域外放射が実質的に減少し得る。よって、集めることが発生した場合、最大送信電力は、（単数または複数の）非データベアリングキャリア（non-data bearing carrier(s)）（例えば、キャリア４０４）のために測定されたキャリア毎の送信電力に基づいて動的に調整され得る。一例において、集めている間の最大送信電力リミットは、（単数または複数の）非データベアリングキャリア（例えば、キャリア４０４）の中の送信電力の動的関数として定義され得る。様々な態様において、最大送信電力リミット以下の全送信電力をもたらす任意のデータ割り当ては、共にシステムが所望の放射要件を満たすことを可能にする、送信電力差（transmit power differential）および送信総電力（transmit total power）の両方を誘発するだろう。
【００３９】
[0044]  このデータを集める方法を利用することにより、この増加が帯域外放射要件を満たすために２つのキャリア４０２と４０４との間の十分に大きい送信電力差をもたらす場合、最大送信電力リミットは、チャネルの中で電力を平等に割り当てることで典型的に達成可能なリミットを超えて増加し得る。さらに、不均衡下での最大送信電力の全特徴付け（full characterization）に基づいて、キャリア管理アルゴリズムは、ＲＬデータを集めることを１つのキャリアに偏らせる（bias）ことができ、それは、より大きい最大送信電力リミットを可能にする。さらに、最大送信電力リミットは増加し得るので、マルチキャリアカバレッジ（すなわち、データレート）、逆方向リンクスループット、アプリケーション性能（すなわち、ユーザ経験）、およびバッテリー寿命の観点からレガシーシステム（legacy system）を介して実質的改善が達成され得る。
【００４０】
[0045]  図５は、本開示の一態様に従ってマルチキャリアワイヤレス通信ネットワークにおけるＲＬ送信の改善された最大電力のためのキャリアマネジメントのアルゴリズム５００を示すフローチャートである。１つの非限定的な例において、方法は、ＥＶ−ＤＯ Ｒｅｖ．Ｂネットワークにおける基地局（例えば、基地局１０２）と通信するアクセス端末（例えば、ＡＴ３００）によって利用され得る。ブロック５０２において、アクセス端末は、基地局へのＲＬ送信のためのいくつかのキャリア（例えば、第１および第２のキャリア）を利用し得る。ここで、各キャリアは、実質的に等しい電力でペイロードデータおよびオーバーヘッドデータ（すなわち、シグナリングデータのような非ペイロードデータ）の両方を送信するために利用され得る。ブロック５０４において、キャリアの全送信（Ｔｘ）電力が閾値（例えば、現在の最大Ｔｘ電力リミットまたは電力増幅器のヘッドルームリミット）よりも大きいか否かが決定される。全Ｔｘ電力が閾値よりも大きくない場合、アルゴリズムはブロック５０２に引き続き戻る。全Ｔｘ電力が閾値よりも大きいと決定された場合、アルゴリズムはブロック５０６に続く。ブロック５０６において、アクセス端末は、すべてのキャリア（例えば、キャリア４０２およびキャリア４０４）上でのオーバーヘッドデータおよび非ペイロードデータの送信を維持しながら、第１のキャリア（例えば、キャリア４０２）上にペイロードデータのすべてを集める。集めている間、（例えば、第１のキャリアに９０％から９９％割り当てられるように、）Ｔｘ電力のほとんどが第１のキャリアに割り当てられ、非常に少ない電力が第２のキャリアに割り当てられる。
【００４１】
[0046]  ブロック５０８において、アクセス端末は、（単数または複数の）非ペイロードベアリングキャリア（例えば、第１および第２のキャリア）の測定されたＴｘ電力に基づいて、キャリアの最大Ｔｘ電力リミットを動的に調整し得る。すなわち、最大Ｔｘ電力リミットは、集めている間の（単数または複数の）非ペイロードベアリングキャリアの測定されたＴｘ電力の関数である。一態様において、アクセス端末は、ブロック５０８におけるルックアップテーブル５０９を利用し得る。テーブル５０９は、キャリアの最大Ｔｘ電力リミットを（単数または複数の）非ペイロードベアリングキャリアのＴｘ電力の関数として特徴付ける。ブロック５１０において、最大Ｔｘ電力リミットは、アクセス端末における温度のように、１つ以上の操作パラメータに従って調整され得る。図５は特定の順序およびシーケンスにおけるアルゴリズムを示すが、アルゴリズムは、本開示の他の態様に従って他の順序およびシーケンスで実行され得る。
【００４２】
[0047]  図６は、本開示の一態様に従ってキャリアの不均衡の関数としてマルチキャリアＲＬ送信のために構成されたアクセス端末の最大Ｔｘ電力リミットを示すグラフである。図６において、軸６０２はキャリアの不均衡を表し、軸６０４は最大Ｔｘ電力リミットを表す。不均衡は、２つのキャリアのＴｘ電力間の差に対応する。いくつかの態様において、２つ以上のキャリアがオーバーヘッドデータを送信するために使用され得る。いくつかの態様において、アクセス端末（例えば、ＡＴ３００）は、ＲＬ送信のために２つ以上のキャリア（例えば、３つまたはそれ以上のキャリア）を利用し得、アクセス端末は、キャリアの特徴付けに基づいてＲＬペイロードデータを集めるために複数のキャリアの中から１つのキャリアを選択する。図６は、本開示の態様に従ってキャリアの特徴付けを概念的に示す図である。第１のキャリア曲線６０６は、ペイロードデータキャリアが２つのキャリアのより高い周波数にあるという仮定の下の不均衡の関数としての最大Ｔｘ電力リミットの特徴付けである。第２のキャリア曲線６０８は、ペイロードデータキャリアがより低い周波数にある場合のための特徴付けである。
【００４３】
[0048]  いくつかの態様において、アクセス端末は、キャリアの中の送信電力の不均衡に対する最大Ｔｘ電力リミットをマップするルックアップテーブルに基づいて、集めることをいくつかのキャリアの中からのキャリアに偏らせ得る。いくつかの態様において、アクセス端末は、ペイロードデータを集めるために選択されたキャリア毎の送信電力リミットを特徴付け得る。特徴付けは、帯域クラス、周波数サブバンド、等に基づいて決定され得る。例えば、最大Ｔｘ電力リミットは、ペイロードデータとオーバーヘッドデータキャリアとの間の不均衡の観点から、またはオーバーヘッドデータキャリアのＴｘ電力の観点から同等に特徴付けられ得る。
【００４４】
[0049]  非ペイロードベアリングキャリア上の所定のＴｘ電力について、所望の放射要件を満たすためにすべてのキャリアに対する全Ｔｘ電力が確実に適切なリミット以下にあるように特徴付けがなされる。オーバーヘッド（非ペイロード）データのみを搬送するための他のすべてのキャリアのＴｘ電力の関数として、放射要件を満たしながら結果として生じる最大Ｔｘ電力リミットは、メモリ（例えば、メモリ３０５）におけるルックアップテーブル（例えば、ルックアップテーブル５０９）に記憶され得る。さらに、別個のルックアップテーブルは、ペイロードデータが利用可能なキャリアの各々にある都度、使用され得る。これは、これらの場合の各々にわたって最大Ｔｘ電力リミットを比較することで、アクセス端末が、他のキャリアよりもより高い特徴付けられた最大送信電力リミットを有するキャリアにペイロードデータを集めることを偏らせることをさらに可能にする。例えば、ルックアップテーブルは、キャリア間の送信電力の不均衡に対する最大送信電力リミットをマップすることができる。
【００４５】
[0050]  一構成において、無線通信のためのアクセス端末（例えば、ＡＴ３００）は、複数のキャリア（例えば、キャリア４０２、４０４）上で逆方向リンク信号を送信するための手段と、ここで、逆方向リンク信号は、ペイロードデータおよびオーバーヘッドデータを含む、複数のキャリアのすべてのキャリア（例えば、キャリア４０２およびキャリア４０４）上でのオーバーヘッドデータの送信を維持しながら、複数のキャリアのうちの第１のキャリア（例えば、キャリア４０２）上にペイロードデータのすべてを集めるための手段と、を含む。別の構成において、アクセス端末３００は、第２のキャリアの測定された送信電力に基づいて、キャリアの最大送信電力リミットを動的に調整するための手段を含む。一態様において、前述した手段は、前述した手段によって記載された機能を実行するように構成された図３に発明がある（単数または複数の）プロセッサ３０４であり得る。別の態様において、前述した手段は、前述した手段によって記載された機能を実行するように構成されたモジュールまたは任意の装置であり得る。
【００４６】
[0051]  テレコミュニケーションシステムのいくつかの態様は、ＣＤＭＡ２０００のシステムを参照して提示されている。当業者は、本開示全体を通して説明された様々な態様が他のテレコミュニケーションシステム、ネットワークアーキテクチャ、および通信規格にまで拡張され得ることを容易に理解するだろう。
【００４７】
[0052]  例として、様々な態様は、Ｗ−ＣＤＭＡ（登録商標）、ＴＤ−ＳＣＤＭＡ、およびＴＤ−ＣＤＭＡのようなＵＭＴＳシステムにまで拡張され得る。様々な態様はまた、（ＦＤＤ、ＴＤＤ、または両方のモードにおける）ロングタームエボリューション（ＬＴＥ）、（ＦＤＤ、ＴＤＤ、または両方のモードにおける）ＬＴＥアドバンスド（ＬＴＥ−Ａ）、Ｅｖｏｌｕｔｉｏｎ−Ｄａｔａ Ｏｐｔｉｍｉｚｅｄ（ＥＶ−ＤＯ）、ウルトラモバイルブロードバンド、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、ウルトラワイドバンド（ＵＷＢ）、Ｂｌｕｅｔｏｏｔｈ（登録商標）、および／または他の適切なシステムを用いるシステムにまで拡張され得る。用いられる実際のテレコミュニケーション規格、ネットワークアーキテクチャ、および／または通信規格は、システムに課された全体的な設計制約および特定のアプリケーションに依存するだろう。
【００４８】
[0053]  開示された方法におけるステップの特定の順序または階層は、例示的プロセスを示す図であると理解されるべきである。設計の優先性に基づいて、方法におけるステップの特定の順序または階層は並べ替えられ得るということが理解される。付随する方法の請求項は、サンプルの順序で様々なステップのエレメントを提示し、本明細書に明確に記載されていない限り、提示された特定の順序または階層に限定されるように意図されるものではない。
【００４９】
[0054]  先の説明は、いずれの当業者も本明細書で説明される様々な態様を実践することを可能にするために提供される。これらの態様に対する様々な変更は当業者には容易に明らかになり、本明細書で定義される包括的な本質は他の態様に適用され得る。従って、請求項は、本明細書に示される態様に限定されるように意図されておらず、請求項の文言と一貫する全範囲であると認められるべきであり、ここで、単数のエレメントへの参照は、そのように明確に述べられていない限りは「１つおよび１つのみ」を意味するように意図されず、むしろ「１つ以上」を意味するように意図される。そうではないと明確に記載されていない限り、用語「何らかの」は、１つ以上を意味する。項目のリスト「のうちの少なくとも１つ」に関する表現は、単一の要素を含む、それらの項目のうちの任意の組み合わせを指す。一例として、「ａ、ｂ、またはｃのうちの少なくとも１つ」は、ａ；ｂ；ｃ；ａおよびｂ；ａおよびｃ；ｂおよびｃ；およびａ、ｂおよびｃをカバーすることを意図する。当業者には既知の、または後に既知となる本開示全体を通して説明された様々な態様のエレメントに対する全ての構造的および機能的な均等物は、参照により本明細書に明確に組み込まれ、特許請求の範囲により包含されるように意図されている。さらに、本明細書で開示されたものはいずれも、特許請求の範囲において明示的に記載されているかどうかにかかわらず、公共に捧げられるように意図されていない。特許請求の範囲のエレメントはいずれも、そのエレメントが明確に「〜のための手段」という表現を使用して記載されていない限り、または、方法の請求項の場合には、そのエレメントが「〜のためのステップ」という表現を使用して記載されていない限り、３５Ｕ．Ｓ．Ｃ．§１１２、第６段落の規定の下に解釈されるべきではない。
以下に、出願当初の特許請求の範囲に記載された発明を付記する。
［Ｃ１］
マルチキャリア逆方向リンク送信のためのキャリアマネジメントの方法であって、
複数のキャリア上で逆方向リンク信号を送信することと、前記逆方向リンク信号は、ペイロードデータおよびオーバーヘッドデータを備える、
前記複数のキャリアのすべてのキャリア上での前記オーバーヘッドデータの送信を維持しながら、前記複数のキャリアのうちの第１のキャリア上に前記ペイロードデータのすべてを集めることと、
を備える、方法。
［Ｃ２］
前記集めることは、前記複数のキャリアのうちの第２のキャリアの送信電力に基づいて、前記キャリアの最大送信電力リミットを動的に調整することをさらに備える、Ｃ１に記載の方法。
［Ｃ３］
前記動的に調整することは、前記第１のキャリアと前記第２のキャリアとの間の送信電力の不均衡に従って最大送信電力をマップするルックアップテーブルを利用することをさらに備える、Ｃ２に記載の方法。
［Ｃ４］
前記集めることは、前記複数のキャリア上の全送信電力が前記最大送信電力リミットにある、またはそれに近いと決定することをさらに備える、Ｃ２に記載の方法。
［Ｃ５］
前記ペイロードデータのすべてを集めるために選択された前記キャリア毎の前記最大送信電力リミットを特徴付けることをさらに備える、Ｃ２に記載の方法。
［Ｃ６］
前記特徴付けることは、帯域クラス、周波数サブバンド、またはそれらの組み合わせに基づいて前記キャリア毎の前記最大送信電力リミットを決定することをさらに備える、Ｃ５に記載の方法。
［Ｃ７］
前記集めることは、前記複数のキャリアの中で、他のキャリアよりも高い特徴付けられた最大送信電力リミットを有するキャリアに前記ペイロードデータを集めることを偏らせることをさらに備える、Ｃ５に記載の方法。
［Ｃ８］
前記特徴付けることは、前記複数のキャリアの中で、放射要件を満たしながら前記ペイロードデータを搬送するためのキャリア毎の前記最大送信電力リミットを、前記オーバーヘッドデータのみを搬送するための前記他のキャリアの送信電力と比較することをさらに備える、Ｃ５に記載の方法。
［Ｃ９］
前記集めることは、前記第１のキャリアの送信電力と前記第２のキャリアの送信電力との間の不均衡に基づいて、前記キャリアの最大送信電力リミットを調整することをさらに備える、Ｃ２に記載の方法。
［Ｃ１０］
前記調整することは、温度変化のための前記調整された最大送信電力リミットを補償することをさらに備える、Ｃ９に記載の方法。
［Ｃ１１］
ワイヤレス通信ネットワークにおけるマルチキャリア逆方向リンク送信のために構成された装置であって、
複数のキャリア上で逆方向リンク信号を送信するための手段と、前記逆方向リンク信号は、ペイロードデータおよびオーバーヘッドデータを備える、
前記複数のキャリアのすべてのキャリア上での前記オーバーヘッドデータの送信を維持しながら、前記複数のキャリアのうちの第１のキャリア上に前記ペイロードデータのすべてを集めるための手段と、
を備える、装置。
［Ｃ１２］
前記集めるための手段は、前記複数のキャリアのうちの第２のキャリアの送信電力に基づいて、前記キャリアの最大送信電力リミットを動的に調整するための手段をさらに備える、Ｃ１１に記載の装置。
［Ｃ１３］
前記動的に調整するための手段は、前記第１のキャリアと前記第２のキャリアとの間の送信電力の不均衡に従って最大送信電力をマップするルックアップテーブルを利用するための手段をさらに備える、Ｃ１２に記載の装置。
［Ｃ１４］
前記集めるための手段は、前記複数のキャリア上の全送信電力が前記最大送信電力リミットにある、またはそれに近いと決定するための手段をさらに備える、Ｃ１２に記載の装置。
［Ｃ１５］
前記ペイロードデータのすべてを集めるために選択された前記キャリア毎の前記最大送信電力リミットを特徴付けるための手段をさらに備える、Ｃ１２に記載の装置。
［Ｃ１６］
前記特徴付けるための手段は、帯域クラス、周波数サブバンド、またはそれらの組み合わせに基づいて前記キャリア毎の前記最大送信電力リミットを決定するための手段をさらに備える、Ｃ１５に記載の装置。
［Ｃ１７］
前記集めるための手段は、前記複数のキャリアの中で、他のキャリアよりも高い特徴付けられた最大送信電力リミットを有するキャリアに前記ペイロードデータを集めることを偏らせるための手段をさらに備える、Ｃ１５に記載の装置。
［Ｃ１８］
前記特徴付けるための手段は、前記複数のキャリアの中で、放射要件を満たしながら前記ペイロードデータを搬送するためのキャリア毎の前記最大送信電力リミットを、前記オーバーヘッドデータのみを搬送するための前記他のキャリアの送信電力と比較するための手段をさらに備える、Ｃ１５に記載の装置。
［Ｃ１９］
前記集めるための手段は、前記第１のキャリアの送信電力と前記第２のキャリアの送信電力との間の不均衡に基づいて、前記キャリアの最大送信電力リミットを調整するための手段をさらに備える、Ｃ１２に記載の装置。
［Ｃ２０］
前記調整するための手段は、温度変化のための前記調整された最大送信電力リミットを補償するための手段をさらに備える、Ｃ１９に記載の装置。
［Ｃ２１］
コンピュータプログラム製品であって、
マルチキャリアリンク送信を管理するためのアクセス端末に、
複数のキャリア上で逆方向リンク信号を送信させ、前記逆方向リンク信号は、ペイロードデータおよびオーバーヘッドデータを備える、
前記複数のキャリアのすべてのキャリア上での前記オーバーヘッドデータの送信を維持しながら、前記複数のキャリアのうちの第１のキャリア上に前記ペイロードデータのすべてを集めさせるためのコードを備えるコンピュータ可読記憶媒体
を備える、コンピュータプログラム製品。
［Ｃ２２］
前記コンピュータ可読記憶媒体は、前記アクセス端末に、前記複数のキャリアのうちの第２のキャリアの測定された送信電力に基づいて、前記キャリアの最大送信電力リミットを動的に調整させるためのコードをさらに備える、Ｃ２１に記載のコンピュータプログラム製品。
［Ｃ２３］
前記コンピュータ可読記憶媒体は、前記アクセス端末に、前記第１のキャリアと前記第２のキャリアとの間の送信電力の不均衡に対する最大送信電力をマップするルックアップテーブルを利用させるためのコードをさらに備える、Ｃ２２に記載のコンピュータプログラム製品。
［Ｃ２４］
前記ペイロードデータを集めることについて、前記コンピュータ可読記憶媒体は、前記アクセス端末に、前記複数のキャリア上の全送信電力が前記最大送信電力リミットにある、またはそれに近いと決定させるためのコードをさらに備える、Ｃ２２に記載のコンピュータプログラム製品。
［Ｃ２５］
前記コンピュータ可読記憶媒体は、前記アクセス端末に、前記ペイロードデータのすべてを集めるために選択された前記キャリア毎の前記最大送信電力リミットを特徴付けさせるためのコードをさらに備える、Ｃ２２に記載のコンピュータプログラム製品。
［Ｃ２６］
前記コンピュータ可読記憶媒体は、前記アクセス端末に、帯域クラス、周波数サブバンド、またはそれらの組み合わせに基づいて前記キャリア毎の前記最大送信電力リミットを決定させるためのコードをさらに備える、Ｃ２５に記載のコンピュータプログラム製品。
［Ｃ２７］
前記コンピュータ可読記憶媒体は、前記アクセス端末に、前記複数のキャリアの中で、他のキャリアよりも高い特徴付けられた最大送信電力リミットを有するキャリアに前記ペイロードデータを集めることを偏らせさせるためのコードをさらに備える、Ｃ２５に記載のコンピュータプログラム製品。
［Ｃ２８］
前記コンピュータ可読記憶媒体は、前記アクセス端末に、前記複数のキャリアの中で、放射要件を満たしながら前記ペイロードデータを搬送するためのキャリア毎の前記最大送信電力リミットを、前記オーバーヘッドデータのみを搬送するための前記他のキャリアの送信電力と比較させるためのコードをさらに備える、Ｃ２５に記載のコンピュータプログラム製品。
［Ｃ２９］
前記コンピュータ可読記憶媒体は、前記アクセス端末に、前記第１のキャリアの送信電力と前記第２のキャリアの送信電力との間の不均衡に基づいて、前記キャリアの最大送信電力リミットを調整させるためのコードをさらに備える、Ｃ２２に記載のコンピュータプログラム製品。
［Ｃ３０］
前記コンピュータ可読記憶媒体は、前記アクセス端末に、温度変化のための前記調整された最大送信電力リミットを補償させるためのコードをさらに備える、Ｃ２９に記載のコンピュータプログラム製品。
［Ｃ３１］
ワイヤレス通信ネットワークにおけるマルチキャリア逆方向リンク送信のために構成された装置であって、
少なくとも１つのプロセッサと、 
前記少なくとも１つのプロセッサに結合された通信インターフェースと、
前記少なくとも１つのプロセッサに結合されたメモリとを備え、
前記少なくとも１つのプロセッサは、
複数のキャリア上で逆方向リンク信号を送信し、前記逆方向リンク信号は、ペイロードデータおよびオーバーヘッドデータを備える、
前記複数のキャリアのすべてのキャリア上での前記オーバーヘッドデータの送信を維持しながら、前記複数のキャリアのうちの第１のキャリア上に前記ペイロードデータのすべてを集めるように構成された、装置。
［Ｃ３２］
前記少なくとも１つのプロセッサは、前記複数のキャリアのうちの第２のキャリアの測定された送信電力に基づいて、前記キャリアの最大送信電力リミットを動的に調整するようにさらに構成される、Ｃ３１に記載の装置。
［Ｃ３３］
前記少なくとも１つのプロセッサは、前記第１のキャリアと前記第２のキャリアとの間の送信電力の不均衡に対する最大送信電力をマップするルックアップテーブルを利用するようにさらに構成される、Ｃ３２に記載の装置。
［Ｃ３４］
前記ペイロードデータを集めることについて、前記少なくとも１つのプロセッサは、前記複数のキャリア上の全送信電力が前記最大送信電力リミットにある、またはそれに近いと決定するようにさらに構成される、Ｃ３２に記載の装置。
［Ｃ３５］
前記少なくとも１つのプロセッサは、前記ペイロードデータのすべてを集めるために選択された前記キャリア毎の前記最大送信電力リミットを特徴付けるようにさらに構成される、Ｃ３２に記載の装置。
［Ｃ３６］
前記少なくとも１つのプロセッサは、帯域クラス、周波数サブバンド、またはそれらの組み合わせに基づいて前記キャリア毎の前記最大送信電力リミットを決定するようにさらに構成される、Ｃ３５に記載の装置。
［Ｃ３７］
前記少なくとも１つのプロセッサは、前記複数のキャリアの中で、他のキャリアよりも高い特徴付けられた最大送信電力リミットを有するキャリアに前記ペイロードデータを集めることを偏らせるようにさらに構成される、Ｃ３５に記載の装置。
［Ｃ３８］
前記少なくとも１つのプロセッサは、前記複数のキャリアの中で、放射要件を満たしながら前記ペイロードデータを搬送するためのキャリア毎の前記最大送信電力リミットを、前記オーバーヘッドデータのみを搬送するための前記他のキャリアの送信電力と比較するようにさらに構成される、Ｃ３５に記載の装置。 
［Ｃ３９］
前記少なくとも１つのプロセッサは、前記第１のキャリアの送信電力と前記第２のキャリアの送信電力との間の不均衡に基づいて、前記キャリアの最大送信電力リミットを調整するようにさらに構成される、Ｃ３１に記載の装置。
［Ｃ４０］
前記少なくとも１つのプロセッサは、温度変化のための前記調整された最大送信電力リミットを補償するようにさらに構成される、Ｃ３９に記載の装置。
【図１】
0006321018.tif 000002
【図２】
0006321018.tif 000003
【図３】
0006321018.tif 000004
【図４】
0006321018.tif 000005
【図５】
0006321018.tif 000006
【図６】
0006321018.tif 000007